(57)【特許請求の範囲】
【請求項１】
画像データを記録媒体に記録する際に、前記画像データに対して色補正処理を施す色補正用の上位プロファイルと、この上位プロファイルによって色補正処理が施された前記画像データに対して画像記録装置自体の個体差や経時変化等を修正するキャリブレーション用の下位プロファイルとを作成するプロファイル作成方法であって、
前記下位プロファイルを作成する前に、既に存在している前記上位プロファイルと前記下位プロファイルとを予め保存するプロファイル保存工程と、
前記下位プロファイルを作成する下位プロファイル作成工程と、
前記下位プロファイルが適正に作成されたか否かを判定する下位プロファイル判定工程と、
前記上位プロファイルを作成する上位プロファイル作成工程と、
前記上位プロファイル作成工程によって、前記上位プロファイルが作成された後に、前記上位プロファイル及び前記下位プロファイルが適正に作成されたか否かを判定するプロファイル判定工程とを備え、
前記下位プロファイル判定工程によって、前記下位プロファイルが適正に作成されたと判定された場合は、前記上位プロファイル作成工程に移行するが、前記下位プロファイルが適正に作成されなかったと判定された場合は、前記上位プロファイル作成工程に移行することなく、プロファイルの作成処理を中止するか、または、前記下位プロファイル作成工程に戻って、前記下位プロファイルの作成からやり直すようにし、
前記プロファイル判定工程によって、前記上位プロファイル及び前記下位プロファイルが適正に作成されなかったと判定された場合は、作成された前記上位プロファイル及び前記下位プロファイルを、前記プロファイル保存工程によって保存された前記上位プロファイル及び前記下位プロファイルに復元した後、プロファイルの作成処理を中止するか、または、前記下位プロファイル作成工程に戻って、前記下位プロファイルの作成からやり直すようにしたことを特徴とするプロファイル作成方法。
【請求項２】
画像データを記録媒体に記録する際に、前記画像データに対して色補正処理を施す色補正用の上位プロファイルと、この上位プロファイルによって色補正処理が施された前記画像データに対して画像記録装置自体の個体差や経時変化等を修正するキャリブレーション用の下位プロファイルとを作成するプロファイル作成プログラムであって、
既に存在している前記上位プロファイルと前記下位プロファイルとを予め保存するプロファイル保存処理を実行した後、
前記下位プロファイルを作成する下位プロファイル作成処理を実行し、
前記下位プロファイルが適正に作成されたか否かを判定する下位プロファイル判定処理を実行し、
前記下位プロファイル判定処理によって、前記下位プロファイルが適正に作成されたと判定された場合には、前記上位プロファイルを作成する上位プロファイル作成処理を実行し、
前記下位プロファイル判定処理によって、前記下位プロファイルが適正に作成されなかったと判定された場合には、前記上位プロファイル作成処理を実行することなく、プロファイルの作成処理を中止するか、または、前記下位プロファイル作成処理から一連の処理を再度実行し、
前記上位プロファイル作成処理を実行した後は、前記上位プロファイル及び前記下位プロファイルが適正に作成されたか否かを判定するプロファイル判定処理を実行し、
前記プロファイル判定処理によって、前記上位プロファイル及び前記下位プロファイルが適正に作成されなかったと判定された場合は、前記上位プロファイル及び前記下位プロファイルを、前記プロファイル保存処理によって保存された前記上位プロファイル及び前記下位プロファイルに復元するプロファイル復元処理を実行した後、プロファイルの作成処理を中止するか、または、前記下位プロファイル作成処理から一連の処理を再度実行するようにしたことを特徴とするプロファイル作成プログラムを記録したコンピュータ読取可能な記録媒体。
【発明の詳細な説明】
【０００１】
【発明の属する技術分野】
この発明は、画像データを記録媒体に記録する際に、前記画像データに対して前処理を施すための上位プロファイルと、この上位プロファイルによって前処理が施された画像データに対して後処理を施すための下位プロファイルとを作成するプロファイル作成方法及びプロファイル作成プログラムを記録したコンピュータ読取可能な記録媒体に関する。
【０００２】
【従来の技術】
例えば、Ｃ（シアン）、Ｍ（マゼンタ）、Ｙ（イエロー）、Ｋ（ブラック）といった４色のインクを用いて記録媒体上にカラー画像を記録するカラープリンタ等の画像記録装置では、装置の機種、解像度、使用するインクの種類、記録媒体の種類等の特性によって、実際に記録媒体上に出力される濃度レベルが変化するため、コンピュータ等から入力される画像データに従ってそのままインクを吐出したのでは、コンピュータ上で作成されたカラー画像やスキャナ等によって取り込まれたカラー画像を記録媒体上に忠実に再現することができない。
【０００３】
このため、コンピュータ等からの入力画像データに基づいて記録媒体上に画像を記録する際は、できるだけ原画像に近い再現画像が得られるように、プロファイルと呼ばれる設定ファイルを作成し、この設定ファイルに基づいて入力画像データを補正することが通常行われている。
【０００４】
こういったプロファイルとしては、例えば、予め定められれた標準色にマッチングさせるために入力画像データに対して色補正処理を施す色補正用の上位プロファイルや、この上位プロファイルによって色補正処理が施された入力画像データに対して、さらに、画像記録装置自体の個体差や経時変化等を修正するキャリブレーション用の下位プロファイルがあるが、こういった上位プロファイルと下位プロファイルとは相互に関連性を有するものであるため、後処理として使用される下位プロファイルを作成した後に、前処理として使用される上位プロファイルを作成するようになっている。
【０００５】
上述したような相互に関連づけられた複数のプロファイルを作成する場合は、以下に示すような方法で作成される。まず、予め定められた画像データに基づいて記録媒体上に印刷されたカラーパッチを測色計等によって測色し、この測色結果に基づいて下位プロファイルが作成される。続いて、作成された下位プロファイルによって所定の処理が施された画像データに基づいて記録媒体上に印刷されたカラーパッチを測色計等によって測色し、この測色結果に基づいて上位プロファイルが作成される。
【０００６】
【発明が解決しようとする課題】
ところで、前処理用の上位プロファイルは、上述したように、先に作成された後処理用の下位プロファイルによって処理が施された画像データに基づいて作成されるので、先に作成された下位プロファイルが不適正なものであった場合には、その後に作成される上位プロファイルも当然に不適正なものとなる。
【０００７】
しかしながら、上述したように、下位プロファイルと上位プロファイルとを連続的に作成するプロファイル作成方法では、作成された下位プロファイル及び上位プロファイルが適正なものであるか否かは、下位プロファイル及び上位プロファイルの双方を作成した後、即ち、プロファイルの作成処理が完了した後に、これらのプロファイルを実際に使用して画像を記録してみなければ判定することができない。
【０００８】
従って、従来のプロファイル作成方法では、先に作成される下位プロファイルが不適正なものであっても、その不適正な下位プロファイルに基づいて上位プロファイルを作成しなければならず、相互に関連づけられた上位プロファイル及び下位プロファイルを効率よく作成することができないといった問題があった。
【０００９】
また、上述したようなプロファイル作成方法では、プロファイルの作成処理の中で、作成されたプロファイルが適正であるか否かを判定することができず、プロファイルの作成処理を完全に終了させた後、通常の使用モードで実際に画像を出力することで、適正にプロファイルが作成されたか否かを判定し、適正にプロファイルが作成されていない場合には、再度、プロファイルの作成処理を実行しなければならないので、適正なプロファイルを作成するのに手間がかかるといった問題もある。
【００１０】
そこで、この発明は、相互に関連づけられた上位プロファイルと下位プロファイルとを効率よく作成することができるプロファイル作成方法及びプロファイル作成プログラムが記録された記録媒体を提供することを目的としている。
【００１１】
【課題を解決するための手段及びその効果】
上記の目的を達成するため、請求項１に記載の発明のプロファイル作成方法は、画像データを記録媒体に記録する際に、前記画像データに対して色補正処理を施す色補正用の上位プロファイルと、この上位プロファイルによって色補正処理が施された前記画像データに対して画像記録装置自体の個体差や経時変化等を修正するキャリブレーション用の下位プロファイルとを作成するプロファイル作成方法であって、前記下位プロファイルを作成する前に、既に存在している前記上位プロファイルと前記下位プロファイルとを予め保存するプロファイル保存工程と、前記下位プロファイルを作成する下位プロファイル作成工程と、前記下位プロファイルが適正に作成されたか否かを判定する下位プロファイル判定工程と、前記上位プロファイルを作成する上位プロファイル作成工程と、前記上位プロファイル作成工程によって、前記上位プロファイルが作成された後に、前記上位プロファイル及び前記下位プロファイルが適正に作成されたか否かを判定するプロファイル判定工程とを備え、前記下位プロファイル判定工程によって、前記下位プロファイルが適正に作成されたと判定された場合は、前記上位プロファイル作成工程に移行するが、前記下位プロファイルが適正に作成されなかったと判定された場合は、前記上位プロファイル作成工程に移行することなく、プロファイルの作成処理を中止するか、または、前記下位プロファイル作成工程に戻って、前記下位プロファイルの作成からやり直すようにし、前記プロファイル判定工程によって、前記上位プロファイル及び前記下位プロファイルが適正に作成されなかったと判定された場合は、作成された前記上位プロファイル及び前記下位プロファイルを、前記プロファイル保存工程によって保存された前記上位プロファイル及び前記下位プロファイルに復元した後、プロファイルの作成処理を中止するか、または、前記下位プロファイル作成工程に戻って、前記下位プロファイルの作成からやり直すようにしたことを特徴としている。
【００１２】
以上のように、このプロファイル作成方法では、下位プロファイル作成工程と上位プロファイル作成工程との間に下位プロファイル判定工程を設けることで、下位プロファイルが適正に作成されなかった場合は、上位プロファイルを作成することなく、プロファイルの作成処理を中止するか、または、直ちに下位プロファイルを作成し直すことができるので、下位プロファイルが適正に作成されなかった場合でも常に上位プロファイルを作成しなければならない従来のプロファイル作成方法に比べて、無駄な処理を行うことなく、効率的にプロファイルを作成することができる。
【００１３】
また、このプロファイル作成方法では、下位プロファイルを作成する前に、既に存在している上位プロファイルと下位プロファイルとを予め保存しておき、上位プロファイル作成工程によって、上位プロファイルが作成された後に、上位プロファイル及び下位プロファイルが適正に作成されたか否かを判定し、上位プロファイル及び下位プロファイルが適正に作成されなかったと判定された場合は、作成された上位プロファイル及び下位プロファイルを、予め、保存された初期の上位プロファイル及び下位プロファイルに復元した後、プロファイルの作成処理を中止するか、または、下位プロファイル作成工程に戻って、下位プロファイルの作成からやり直すようにしたので、通常の使用モードで実際に画像を出力することによって、適正にプロファイルが作成されたか否かを判定しなければならない従来のプロファイル作成方法に比べて、手間をかけずに効率よく適正なプロファイルを作成することができる。
【００１４】
また、プロファイルの作成前に存在している上位プロファイルと下位プロファイルとが予め保存されているので、プロファイルが適正に作成されなかった場合やプロファイルの作成を途中で中止した場合でも、プロファイルを即座に初期の状態に復元することができ、少なくともプロファイルの作成前の状態で画像を記録することが可能となる。
【００１５】
上述したようなプロファイル作成方法は、請求項２に記載の発明の記録媒体に記録されたプロファイル作成プログラムのように、画像データを記録媒体に記録する際に、前記画像データに対して色補正処理を施す色補正用の上位プロファイルと、この上位プロファイルによって色補正処理が施された前記画像データに対して画像記録装置自体の個体差や経時変化等を修正するキャリブレーション用の下位プロファイルとを作成するプロファイル作成プログラムであって、既に存在している前記上位プロファイルと前記下位プロファイルとを予め保存するプロファイル保存処理を実行した後、前記下位プロファイルを作成する下位プロファイル作成処理を実行し、前記下位プロファイルが適正に作成されたか否かを判定する下位プロファイル判定処理を実行し、前記下位プロファイル判定処理によって、前記下位プロファイルが適正に作成されたと判定された場合には、前記上位プロファイルを作成する上位プロファイル作成処理を実行し、前記下位プロファイル判定処理によって、前記下位プロファイルが適正に作成されなかったと判定された場合には、前記上位プロファイル作成処理を実行することなく、プロファイルの作成処理を中止するか、または、前記下位プロファイル作成処理から一連の処理を再度実行し、前記上位プロファイル作成処理を実行した後は、前記上位プロファイル及び前記下位プロファイルが適正に作成されたか否かを判定するプロファイル判定処理を実行し、前記プロファイル判定処理によって、前記上位プロファイル及び前記下位プロファイルが適正に作成されなかったと判定された場合は、前記上位プロファイル及び前記下位プロファイルを、前記プロファイル保存処理によって保存された前記上位プロファイル及び前記下位プロファイルに復元するプロファイル復元処理を実行した後、プロファイルの作成処理を中止するか、または、前記下位プロファイル作成処理から一連の処理を再度実行するようにしたことを特徴とするプロファイル作成プログラムによって実施することができる。
【００１７】
【発明の実施の形態】
以下、実施の形態について図面を参照して説明する。図１に示すように、このプロファイル作成システムは、パーソナルコンピュータ（以下、ＰＣという）１と、カラープリンタ２と、測色計３とから構成されており、ＰＣ１とカラープリンタ２及び測色計３とは、それぞれ専用のインターフェイスケーブル４、５を介してデータ通信可能に接続されている。
【００１８】
前記ＰＣ１は、ＣＰＵ１１、ＲＯＭ１２、ＲＡＭ１３、ハードディスク装置（ＨＤ）１４、プリンタ用インターフェイス（Ｉ／Ｆ）１５、測色計用インターフェイス（Ｉ／Ｆ）１６及び表示装置（ＣＲＴ）１７を備えており、これらがバス１８を介してデータ通信可能に接続されている。
【００１９】
前記ＣＰＵ１１は、読み出し専用の記憶素子であるＲＯＭ１２に記憶された各種プログラムまたはＨＤ１４から読み出されてＲＡＭ１３に格納された各種プログラムに従って、各種演算及び制御対象に対する制御を実行するものであり、ＲＯＭ１２には、上記各種プログラムの他、書き換えを要しないデータ類等が記憶されている。
【００２０】
前記ＲＡＭ１３は、任意に読み書き可能な記憶素子であり、ＨＤ１４から読み出された上記各種プログラムの他、ＣＰＵ１１の各種演算等により得られるデータ類を記憶することができるようになっている。
【００２１】
前記ＨＤ１４は、ＲＯＭ１２やＲＡＭ１３などの主記憶装置内に定常的に格納されることのないプログラムやデータ類をファイルとして記憶する補助記憶装置であり、本発明のプロファイル作成方法を実施するためのプロファイル作成プログラムやこのプロファイル作成プログラムによって作成された色補正用の上位プロファイル、プリンタ自体の個体差や経時変化等を修正するキャリブレーション用の下位プロファイル等の種々のプロファイルが格納されている。
【００２２】
前記プリンタ用インターフェイス１５及び測色計用インターフェイス１６は、カラープリンタ２及び測色計３との間で取り決められた特定の通信プロトコルに従ってカラープリンタ２及び測色計３との間で双方向のデータ通信を行うものであり、ＣＲＴ１７は、本システムの利用者が各種データ類を視認できるような形態で表示するものである。
【００２３】
前記カラープリンタ２は、インクジェット方式の印字装置２１及びＰＣ用インターフェイス２２を備えており、印字装置２１は、ＰＣ用インターフェイス２２及びプリンタ用インターフェイス１５を介してＰＣ１との間でデータ通信を行うようになっている。
【００２４】
前記印字装置２１は、ＰＣ１から与えられる入力画像データに基づいて、シアン（Ｃ）、マゼンタ（Ｍ）、イエロー（Ｙ）、ブラック（Ｋ）の４種類の基本色インクを吐出することによって記録媒体上に画像を形成するものであり、２５６階調の濃淡レベルを持つ多階調のカラー画像を記録することができるように構成されている。
【００２５】
前記測色計３は、読取装置３１及びＰＣ用インターフェイス３２を備えており、読取装置３１は、ＰＣ用インターフェイス３２及び測色計用インターフェイス１６を介してＰＣ１との間でデータ通信を行うようになっている。
【００２６】
前記読取装置３１は、測定対象物からの反射光または透過光の強度を測定し、その測定対象物の色を３原色に分けたときの各色毎の濃度レベルを、測色データベースとして出力するものである。
【００２７】
色補正用の前記上位プロファイルは、色の相互の関係を勘案して適切な色に見えるように、入力画像データを補正する際に使用されるデータファイルであって、シアン（Ｃ）、マゼンタ（Ｍ）、イエロー（Ｙ）、ブラック（Ｋ）といった４種類の基本色についての入力色データの組み合わせに対して、それぞれ出力色データを備えている。なお、この上位プロファイルは、各基本色について、２５６階調（０〜２５５）全部に対して、出力色データを持っているのではなく、図２に示すように、一定の階調値間隔で出力色データが用意されている。従って、出力色データが用意されていない階調値については、周囲のデータから補間することによって補正値（近似値）を算出し、これを使用するようにしている。
【００２８】
キャリブレーション用の前記下位プロファイルは、プリンタ自体の個体差や経時変化等を修正するために使用されるデータファイルであって、上述した４種類の基本色に対して、それぞれ出力色データを備えている。なお、この下位プロファイルについても、全ての階調値に対して出力色データを持っているのではなく、上位プロファイルと同様に、一定の階調値間隔で出力色データが用意されている。
【００２９】
以上のように構成されたプロファイル作成システムにおいて、ＨＤ１４に記憶されたプロファイル作成プログラムが実行されることによって、色補正用の上位プロファイルとキャリブレーション用の下位プロファイルとを作成するプロファイル作成処理について、図３に示すフローチャートを参照しながら説明する。
【００３０】
プロファイル作成処理が開始されると、まず、既に存在している上位プロファイルと下位プロファイルとが保存され（Ｓ１）、キャリブレーション用の下位プロファイルを作成するために、シアン（Ｃ）、マゼンタ（Ｍ）、イエロー（Ｙ）、ブラック（Ｋ）の４種類の基本色のそれそれについて、予め定められた画像データに基づいて、図２に示すような９段階の階調値（０、３１、６３、９５、１２７、１５９、１９１、２２３、２２５）に対応したカラーパッチが、カラープリンタ２によって記録媒体上に印刷される（Ｓ２）。
【００３１】
このようにして記録媒体上に印刷された各基本色についてのカラーパッチの濃度レベルが測色計３によって測定（測色）され（Ｓ３）、この測定（測色）結果に基づいてキャリブレーション用の下位プロファイルが作成される（Ｓ４）。なお、ここでは、４種類の基本色のそれぞれについて、入出力特性がリニアになるような下位プロファイルが作成されることになる。
【００３２】
次に、プロファイルの作成処理を中止する否かが判断され（Ｓ５）、プロファイルの作成処理の中止する場合は（Ｓ５：Ｙｅｓ）、Ｓ４において作成された下位プロファイルを、Ｓ１おいて保存した初期の下位プロファイルに復元した後（Ｓ１６）、プロファイルの作成処理を終了する。
【００３３】
一方、プロファイルの作成処理を継続する場合は（Ｓ５：Ｎｏ）、色補正用の上位プロファイルを作成するために、Ｓ４において作成された下位プロファイルよって処理が施された画像データに基づいて、上述した９段階の階調値に対応したカラーパッチが、カラープリンタ２によって記録媒体上に印刷される（Ｓ６）。
【００３４】
このようにして記録媒体上に印刷されたカラーパッチの濃度レベルが測色計３によって測定（測色）され（Ｓ７）、この測定（測色）結果に基づいて、作成された下位プロファイルが適正なものであるか否かが判定される（Ｓ８）。具体的には、各カラーパッチの測定濃度レベルが途中で逆転していないかどうか、各カラーパッチの測定濃度レベルが予め定められた範囲内に収まっているかどうかといった観点から、作成された下位プロファイルの適・不適の判定が行われる。
【００３５】
ここで、作成された下位プロファイルが不適正であると判定された場合は（Ｓ８：不適）、下位プロファイルが適正に作成されなかった旨を報知し（Ｓ１５）、Ｓ４において作成された下位プロファイルを、Ｓ１において保存した初期の下位プロファイルに復元した後（Ｓ１４）、Ｓ２に戻って下位プロファイルの作成処理から一連の処理が再度実行される。一方、作成された下位プロファイルが適正であると判定された場合は（Ｓ８：適）、Ｓ７の測色結果に基づいて、色補正用の上位プロファイルが作成される（Ｓ９）。
【００３６】
このようにして上位プロファイルが作成されると、再度、プロファイルの作成処理を中止する否かが判断され（Ｓ１０）、プロファイルの作成処理を中止する場合は（Ｓ１０：Ｙｅｓ）、作成された下位プロファイル及び上位プロファイルの双方を、Ｓ１おいて保存した初期の下位プロファイル及び上位プロファイルに復元した後（Ｓ１６）、プロファイルの作成処理を終了する。
【００３７】
一方、プロファイルの作成処理を継続する場合は（Ｓ１０：Ｎｏ）、作成された上位プロファイル及び下位プロファイルによって処理が施された画像データに基づいて、上述した９段階の階調値に対応したテスト用カラーパッチが、カラープリンタ２によって記録媒体上に印刷される（Ｓ１１）。
【００３８】
このようにして記録媒体上に印刷されたテスト用カラーパッチの濃度レベルが測色計３によって測定（測色）され（Ｓ１２）、この測定（測色）結果に基づいて、作成された上位プロファイル（下位プロファイル）が適正なものであるか否かが判定される（Ｓ１３）。なお、ここでの判定方法は、Ｓ８における判定方法と同様である。
【００３９】
ここで、作成された上位プロファイル（下位プロファイル）が不適正であると判定された場合は（Ｓ１３：不適）、プロファイルが適正に作成されなかった旨を報知し（Ｓ１５）、Ｓ４及びＳ９において作成された下位プロファイル及び上位プロファイルを、Ｓ１において保存した初期の下位プロファイル及び上位プロファイルに復元した後（Ｓ１４）、Ｓ２に戻って下位プロファイルの作成処理から一連の処理が再度実行される。一方、作成された上位プロファイル（下位プロファイル）が適正であると判定された場合は（Ｓ１３：適）、一連のプロファイル作成処理を終了する。
【００４０】
以上のように、このプロファイル作成方法では、下位プロファイルを作成した後、上位プロファイルを作成する前に、作成された下位プロファイルが適正であるか否かを判定することで、下位プロファイルが適正に作成されなかった場合には、下位プロファイルの影響を受ける上位プロファイルを作成することなく、直ちに下位プロファイルを作成し直すことができるので、下位プロファイルが適正に作成されなかった場合でも常に上位プロファイルを作成しなければならない従来のプロファイル作成方法に比べて、効率的にプロファイルを作成することが可能となる。
【００４１】
また、このプロファイル作成方法では、上位プロファイルが作成された後に、上位プロファイル（下位プロファイル）が適正に作成されたか否かを判定するようにしたため、上位プロファイル（下位プロファイル）が適正に作成されなかった場合は、プロファイルの作成処理を直ちに再開することができ、通常の使用モードで実際に画像を出力することによって、適正にプロファイルが作成されたか否かを判定しなければならない従来のプロファイル作成方法に比べて、手間をかけずに効率よく適正なプロファイル（上位プロファイル及び下位プロファイル）を作成することができる。
【００４２】
また、プロファイルの作成前に存在している上位プロファイルと下位プロファイルとが予め保存されているので、プロファイルが適正に作成されなかった場合やプロファイルの作成を途中で中止する場合でも、プロファイルを即座に初期の状態に復元することができ、少なくともプロファイルの作成前の状態で画像を記録することが可能となる。
【００４３】
なお、この実施形態では、色補正用の上位プロファイルとキャリブレーション用の下位プロファイルの作成処理について説明したが、本発明のプロファイル作成方法及びプロファイル作成プログラムは、これに限定されるものではなく、相互に関連づけられた種々のプロファイル（上位プロファイル、下位プロファイル）を作成する場合に適用することができる。
【００４４】
また、作成するプロファイルの種類も、上述した実施形態のように、２種類のプロファイルに限定されるものではなく、３種類以上のプロファイルを作成する場合にも適用することができる。
【００４５】
また、上述した実施形態では、プロファイルを作成するために行われるカラーパッチの測色を、カラーパッチの濃度レベルを測定することによって行っているが、これに限定されるものではなく、国際照明委員会（ＣＩＥ）で定められたＬ＊ａ＊ｂ＊表色系やＬ＊ｕ＊ｖ＊表色系等の値を測定することも可能である。
【００４６】
また、上述した実施形態では、下位プロファイルの作成直後及び上位プロファイルの作成直後に、それぞれプロファイルの作成を中止するか否かの判断を行っているが、これに限定されるものではなく、必要に応じて、任意のタイミングで適宜判断処理を実行すればよい。
【００４７】
また、上述した実施形態では、下位プロファイルが適正に作成されなかったと判定された場合は、必ず、下位プロファイルの作成処理に移行するようになっているが、これに限定されるものではなく、下位プロファイルが適正に作成されなかった旨を報知した後、プロファイルの作成処理を続行するか否かをプロファイルの作成者に選択させるようにしてもよい。
【００４８】
また、上述した実施形態では、作成された上位プロファイル（下位プロファイル）が不適正であると判定された場合は、必ず、下位プロファイルの作成処理に移行するようになっているが、これに限定されるものではなく、プロファイルが適正に作成されなかった旨を報知した後、プロファイルの作成処理を続行するか否かをプロファイルの作成者に選択させるようにしてもよい。
【図面の簡単な説明】
【図１】  この発明にかかるプロファイル作成方法を実施するためのプロファイル作成システムの一実施形態を示す概略構成図である。
【図２】  同上のプロファイル作成システムにおいて記録媒体上に印刷されるカラーパッチを示す図である。
【図３】  同上のプロファイル作成システムによってプロファイルを作成する場合の処理の流れを示すフローチャートである。
【符号の説明】
１  パーソナルコンピュータ（ＰＣ）
２  カラープリンタ
３  測色計
１１  ＣＰＵ
１２  ＲＯＭ
１３  ＲＡＭ
１４  ハードディスク装置（ＨＤ）
１５  プリンタ用インターフェイス（Ｉ／Ｆ）
１６  測色計用インターフェイス（Ｉ／Ｆ）
１７  表示装置（ＣＲＴ）
１８  バス
２１  印字装置
２２  ＰＣ用インターフェイス
３１  読取装置
３２  ＰＣ用インターフェイス
【図１】
0004218166.tif 000002
【図２】
0004218166.tif 000003
【図３】
0004218166.tif 000004